(57)【特許請求の範囲】
【請求項１】
コンクリート建造物を形成すべく使用される型枠内に上方から垂直方向に配置される剛性を持ち、かつ、所定の形態を保つ有底筒体と、前記有底筒体内に垂直方向に配置される基体とその基体の周囲に外方への突出長さを可変として取り付けられる複数個の前記有底筒体の支持体とからなる前記有底筒体の保持装置とから構成され、
前記保持装置の前記支持体が外方へ微調整可能として突出される位置で、平面大きさの異なる複数種の前記有底筒体を支持可能とすることを特徴とするコンクリート建造物上面への縦孔形成用装置。
【請求項２】
前記支持体それぞれの端部が前記有底筒体の周壁内面に沿う支持ガイド面部となっている請求項１記載のコンクリート建造物上面への縦孔形成用装置。
【請求項３】
前記突出長さを微調整可能としてなることを特徴とする請求項１または２記載のコンクリート建造物上面への縦孔形成用装置。
【請求項４】
前記基体の下端に取り付けられて前記基体の下方への突出長さを補充する長さ補充体を備える請求項１記載のコンクリート建造物上面への縦孔形成用装置。
【発明の詳細な説明】
【技術分野】
【０００１】  この発明は、橋脚等のコンクリート建造物上面への縦孔形成用装置に関する。
【背景技術】
【０００２】  高速道路の橋脚をコンクリートにより建造する場合、その上面には橋桁を固定するアンカー等を植設するための縦孔を形成する。この縦孔は有底筒体がコンクリートに埋設されて形成され、その有底筒体の型枠内への配置構造が特許第３２３９１７６号に開示されている。
【発明の概要】
【発明が解決しようとする課題】
【０００３】  上記従来構造の場合、縦孔の大きさが変わるのに対応して使用する有底筒体の大きさが変わる場合、それを装着する箱抜体装着体（この発明における有底筒体の保持装置）としてもやはり対応する大きさを持つものを使用しなければならない。一か所の工事現場において多数個の箱抜体装着体が必要とされるので、そのように大きさの異なる箱抜体装着体を多種類用意するのは製造コストや保管スペースの面で大きな問題があった。縦穴の大きさは現場それぞれにおいて異なる場合があり、また、同一の現場においても異なることがある。【０００４】  この発明は上記の事情に鑑みて行ったもので、１種類の有底筒体の保持体の使用により異なる大きさの有底筒体使用に対応できるようにすることを目的とする。
【課題を解決するための手段】
【０００５】  この発明では、コンクリート建造物を形成すべく使用される型枠内に上方から垂直方向に配置される剛性を持つ有底筒体と、前記有底筒体内に垂直方向に配置される基体とその基体の周囲に外方への突出長さを可変として取り付けられる複数個の前記有底筒体の支持体とからなる前記有底筒体の保持装置とから構成され、前記保持装置の前記支持体が外方へ適宜突出される位置で、平面大きさの異なる複数種の前記有底筒体を支持可能とすることを特徴とするコンクリート建造物上面への縦孔形成用装置を提供する。【０００６】  上記構成によれば、支持体の外方への突出長さが適宜とできるので保持装置はその平面形状において平面形状の大きさが可変とでき、これにより、平面形状の大きさの異なる有底筒体の保持が可能となる。支持体それぞれの端部が有底筒体の周壁内面に沿う支持ガイド面部となっていることで、有底筒体が安定保持される。さらに、突出長さを微調整可能とされることで、保持装置を有底筒体の形状により正確に沿う形態とできて、有底筒体のスムーズ、かつ、安定した装着が可能となる。さらに、基体の下端に取り付けられて前記基体の下方への突出長さを補充する長さ補充体と設ける構成とすることで、保持装置はその長さが可変とでき、これにより、径、長さの異なる有底筒体の保持が可能となる。
【発明の効果】
【０００７】  この発明によれば、橋脚等のコンクリート建造物の上面への大きさの異なる縦孔の形成が１種類の有底筒体の保持装置により可能となり、これにより大きさの異なる多種類の有底筒体の保持装置を用意しなくてすむことで、製造コストや保管スペースの面での問題が解消される。
【図面の簡単な説明】
【０００８】
【図１】  この発明の有底筒体の保持装置の外観斜視図
【図２】  図１におけるＡ−Ａ部分の断面構成図
【図３】  この発明の有底筒体の保持装置における基体と支持体との固定構成説明図
【図４】  この発明の有底筒体の保持装置における長さ補充体と補助支持体との固定構成説明図
【図５】  この発明の有底筒体の保持装置における補助支持体の底面図
【図６】  この発明の有底筒体の保持装置における補助支持体の補助支持片の取り付け説明図
【図７】  この発明の有底筒体の保持装置の使用状態説明図
【発明を実施するための形態】
【０００９】  図１は有底筒体の保持装置の外観を示し、図２は図１のＡ−Ａ部における水平断面構成を示す。保持装置１は全体が金属構成で、上部の円板３と上端がその円板３の下面中央に溶接固定され下方に延び出すパイプ５とからなる基体７と、その基体７に取り付けられる３個の有底筒体の支持体９と、基体７の下部に取り付けられる長さ補充体１０と、その長さ補充体１０の下面に取り付けられる補助支持体４とから構成される。１０ａは長さ補充体１０に取り換えて使用される長さ補充体である。
【００１０】  基体７の円板３には２個の取り付け孔１１が設けられ、また、パイプ５の上、中、下それぞれの高さ位置には１２０°の等間隔において外方に突出する取り付け片１３が溶接固定され、パイプ５の下端には方形の連結板１４が溶接固定されている。
【００１１】  支持体９のそれぞれは湾曲面となった支持ガイド面部１２の内面の上、中、下それぞれの高さ位置に内方に突出する取り付け片１５が溶接固定されて構成されている。図３は基体７と支持体９との固定構成の説明図であり、基体７側の取り付け片１３には外側から内側に沿って上、中、下位置に３個の取り付け孔１６それぞれが設けられ、これに対し支持体９側の３個の取り付け片１５にはその２個のものにおいて通常の円形の取り付け孔１８が、１個のものにおいて長孔の取り付け孔１９が設けられている。そして、取り付け孔１８、１９それぞれが選択される取り付け孔１６に合わされてボルト２０により固定されることで取り付け片１３それぞれに取り付け片１５それぞれが連結固定され、これにより基体７に支持体９が取り付けられる。取り付け片１３の取り付け片１５と相対する側と逆側の面には、取り付け孔１６それぞれに対応する位置にナット１７のそれぞれが固着されている。
【００１２】  長さ補充体１０はその上面板２７が基体７の連結板１４の下面に２本のボルト２２により固定されて取り付けられ、その長さ補充体１０の下面に補助支持体４が取り付けられる。長さ補充体１０の下面板２８には、図４に示すように、２個の取り付け孔３０が設けられるとともに２個の位置決めボス３１が突出形成されている。補助支持体４は円板２３の上面に方形板２４が溶接固定されている。方形板２４には２個の位置決め孔２５が設けられるとともに上面に２本の固定ボルト２９が立設されている。長さ補充体１０の下面板２８の２個の位置決めボス３１それぞれが方形板２４の２個の位置決め孔２５それぞれに嵌められるとともに取り付け孔３０それぞれに固定ボルト２９それぞれが挿通され、その上端にナットが装着固定されることで長さ補充体１０の下面に補助支持体４が取り付けられる。実際には長さ補充体１０と補助支持体４とを前もって取り付けて一体としておきこれを基体７側に取り付けるもので、その取り付けは取り付け片１３、１５それぞれによる固定位置と後に述べる取り付け台３９それぞれによる補助支持片３５の固定位置とが垂直位置において対応し、かつ、長孔の取り付け孔１９による固定位置と後に述べる長孔の取り付け孔３７による取り付け位置とが対応するようになされる。
【００１３】  補助支持体の円板２３の下面縁には、図５に示すように、１２０°の等間隔おいて補助支持片３５のそれぞれが取り付けられている。図６に示すように、円板２３の下面縁に取り付け孔が１個設けられた取り付け台３９が３個溶接固定され、これに対し補助支持片３５としてはそのうち２個のものにおいて通常の円形の取り付け孔３６が外側から内側に３個設けられ、残る１個のものにおいて長孔の取り付け孔３７が設けられている。そして、選択される取り付け孔３６と取り付け孔３７それぞれが取り付け台３９それぞれの取り付け孔に合わされてボルト連結されることで、補助支持片３５それぞれの取り付けがなされる。補助支持片３５それぞれの外端には当接面部４０それぞれが付設されている。
【００１４】  図７は上記保持装置１の使用状態を示す。保持装置１は型枠５０の上部に架け渡される枠材５１から垂下される２本の取り付けボルト５２に円板３が固定されて型枠５０内に吊り下げ配置される。この保持装置１に下方から縦孔を形成するための有底筒体６０が嵌め込まれて装着され、支持体９の支持ガイド面部１２それぞれの上部に巻き付け固定された固定具６１から下方に延び出す固定端６２部分において、固定ネジ６３で有底筒体６０面が支持ガイド面部１２の外面に押し付け固定されることで有底筒体６０は保持されている。
【００１５】  この状態において支持ガイド面部１２それぞれと当接面部４０それぞれが有底筒体６０の内面に当接状態となり、これにより有底筒体６０は型枠５０内に安定配置される。型枠５０内にコンクリートが充填固化された後に固定具６１が外されることで保持装置１は上方に引き抜いて取り出され、有底筒体６０はコンクリート内に残ってそこに縦孔が形成される。
【００１６】  以下、上記保持装置１の使用に際しての有底筒体６０の大きさ変化への対応構成について説明する。この実施形態の保持装置１は、その径においては大中小の３種類、長さにおいて短長２種類、その組み合わせにおいて合計６種類の形態の有底筒体６０へ対応使用できる。まず、大径で短い有底筒体６０においては、取り付け片１３それぞれにおける外側の取り付け孔１６、補助支持片３５の２個のものにおいて内側の取り付け孔３６を使用する。これにより取り付け片１３、補助支持片３５がともに長い状態で使用され、これにより保持装置１はその平面形状において径が大きくなることで大径の有底筒体６０を安定保持する。また、図１に示すように短い長さ補充体１０が使用されることで短い有底筒体６０に対応使用される。中径、小径のものにおいては取り付け片１３それぞれにおける中間、内側の取り付け孔１６、補助支持片３５の２個のものにおいて中間、外側の取り付け孔３６を使用し、また、長い有底筒体６０を使用する場合には長い長さ補充体１０ａを使用し、これにより１個の保持装置１を用意することで６種類の大きさの有底筒体６０の現場での使用が可能となる。図３は小径の有底筒体６０に使用される場合の構成を示している。
【００１７】  上記のようにして保持装置１は６種類の有底筒体６０に対応使用されるが、実際の使用時にはどうしても小さな寸法誤差が生じて有底筒体６０がスムーズに保持装置に装着できなかったり、また、隙間が生じてしまう場合が発生する。その際には、垂直方向において対応する位置にある１個の取り付け片１３の取り付け孔１９が長孔とされ、１個の補助支持片３５の取り付け孔３７が長孔とされていることで、その部分で寸法誤差に対応した固定位置のスライド位置調整が行われ、これにより保持装置１を有底筒体６０の形状に沿う形態とできてスムーズ、かつ、安定した装着が可能となる。
【符号の説明】
【００１８】  １    有底筒体の保持装置
４    補助支持体
７    基体
９    有底筒体の支持体
１０    長さ補充体
【図１】
0005834619.tif 000002
【図２】
0005834619.tif 000003
【図３】
0005834619.tif 000004
【図４】
0005834619.tif 000005
【図５】
0005834619.tif 000006
【図６】
0005834619.tif 000007
【図７】
0005834619.tif 000008